(57)【要約】【課題】ローミング禁止網の圏内に位置する場合でも、基地局からの報知情報の受信処理に費やす電力を軽減し、不必要な報知情報受信処理によるホーム網／ローミング網のセル検出の遅延を防止する。【解決手段】制御部１００ａは、送受信部１０２を制御してセルサーチを実施し、この結果、検出した基地局ＢＳを通じて位置登録を試みて利用が拒否された場合に、上記基地局ＢＳが属する網の識別情報を禁止網リスト記憶エリア１０４ｂに記録するとともに、上記基地局ＢＳとの通信に用いたキャリア周波数の識別情報を禁止周波数リスト記憶エリア１０４ｃに記録し、これらの記憶エリアに記憶される識別情報に基づいて、通信が可能なセルを検出するようにしたものである。【選択図】      図１
2006311329.tif 000002
【特許請求の範囲】
【請求項１】
移動通信網に収容される基地局と無線通信する移動無線端末装置において、
基地局との通信に利用可能なキャリア周波数を記憶する第１記憶手段と、
基地局からの無線信号を受信する受信手段と、
この受信手段が基地局から接続を拒否する信号を受信した場合に、前記基地局への接続に用いたキャリア周波数を記憶する第２記憶手段と、
前記第１記憶手段が記憶するキャリア周波数のうち、前記第２記憶手段が記憶するキャリア周波数を除く周波数を用いて、接続可能な基地局を探索する探索手段とを具備することを特徴とする移動無線端末装置。
【請求項２】
前記第２記憶手段は、前記受信手段が基地局から接続を拒否する信号を受信した場合に、当該受信に基づく時間情報と前記基地局への接続に用いたキャリア周波数とを対応づけて記憶し、
前記探索手段は、前記第１記憶手段が記憶するキャリア周波数のうち前記第２記憶手段が記憶するキャリア周波数を除く周波数と、前記第２記憶手段が記憶するキャリア周波数のうち対応づけられた時間情報から所定の時間が経過したキャリア周波数とを用いて、接続可能な基地局を探索することを特徴とする請求項１に記載の移動無線端末装置。
【請求項３】
前記第２記憶手段は、前記受信手段が基地局から接続を拒否する信号を受信した場合に当該受信に基づく時間情報と前記基地局への接続に用いたキャリア周波数とを対応づけて記憶するとともに、当該記憶したキャリア周波数のうちキャリア周波数に対応づけられた時間情報から所定の時間が経過したキャリア周波数の記憶を削除し、
前記探索手段は、前記第１記憶手段が記憶するキャリア周波数のうち、前記第２記憶手段が記憶するキャリア周波数を除く周波数を用いて、接続可能な基地局を探索することを特徴とする請求項１に記載の移動無線端末装置。
【請求項４】
移動通信網に収容される基地局と無線通信する移動無線端末装置において、
ローミングが許可されない移動通信網の識別情報を記憶する禁止網記憶手段と、
基地局との通信に利用可能なキャリア周波数を記憶する第１記憶手段と、
基地局から無線信号を受信し、この基地局が属する移動通信網の識別情報を受信する受信手段と、
この受信手段が受信した識別情報が前記禁止網記憶手段に記憶される場合に、前記基地局への接続に用いたキャリア周波数を記憶する第２記憶手段と、
前記第１記憶手段が記憶するキャリア周波数のうち、前記第２記憶手段が記憶するキャリア周波数を除く周波数を用いて、接続可能な基地局を探索する探索手段とを具備することを特徴とする移動無線端末装置。
【請求項５】
前記第２記憶手段は、前記受信手段が受信した識別情報が前記禁止網記憶手段に記憶される場合に、当該受信に基づく時間情報と前記基地局への接続に用いたキャリア周波数とを対応づけて記憶し、
前記探索手段は、前記第１記憶手段が記憶するキャリア周波数のうち前記第２記憶手段が記憶するキャリア周波数を除く周波数と、前記第２記憶手段が記憶するキャリア周波数のうち対応づけられた時間情報から所定の時間が経過したキャリア周波数とを用いて、接続可能な基地局を探索することを特徴とする請求項４に記載の移動無線端末装置。
【請求項６】
前記第２記憶手段は、前記受信手段が受信した識別情報が前記禁止網記憶手段に記憶される場合に当該受信に基づく時間情報と前記基地局への接続に用いたキャリア周波数とを対応づけて記憶するとともに、当該記憶したキャリア周波数のうちキャリア周波数に対応づけられた時間情報から所定の時間が経過したキャリア周波数の記憶を削除し、
前記探索手段は、前記第１記憶手段が記憶するキャリア周波数のうち、前記第２記憶手段が記憶するキャリア周波数を除く周波数を用いて、接続可能な基地局を探索することを特徴とする請求項４に記載の移動無線端末装置。
【請求項７】
前記探索手段は、前記第１記憶手段が記憶するキャリア周波数のうち、前記第２記憶手段が記憶するキャリア周波数を中心周波数とする所定帯域幅の周波数帯を除く周波数を用いて、接続可能な基地局を探索することを特徴とする請求項１または請求項３に記載の移動無線端末装置。
【請求項８】
第１の移動通信システムの移動通信網に収容される基地局と、第２の移動通信システムの移動通信網に収容される基地局と選択的に無線通信する移動無線端末装置において、
基地局との通信に利用可能なキャリア周波数を記憶する第１記憶手段と、
基地局からの無線信号を受信する受信手段と、
この受信手段が基地局から接続を拒否する信号を受信した場合に、前記基地局への接続に用いたキャリア周波数を記憶する第２記憶手段と、
前記第１の移動通信システムで用いられる第１周波数帯域と、前記第２の移動通信システムで用いられる第２周波数帯域とのうち、前記第２記憶手段が記憶するキャリア周波数を中心周波数とする所定帯域幅の周波数帯の占める割合が、予め設定した閾値以上の周波数帯域を除いて、前記第１記憶手段が記憶するキャリア周波数のうち、前記第２記憶手段が記憶するキャリア周波数を除く周波数を用いて、接続可能な基地局を探索する探索手段とを具備することを特徴とする移動無線端末装置。
【請求項９】
第１の移動通信システムの移動通信網に収容される基地局と、第２の移動通信システムの移動通信網に収容される基地局と選択的に無線通信する移動無線端末装置において、
ローミングが許可されない移動通信網の識別情報を記憶する禁止網記憶手段と
基地局との通信に利用可能なキャリア周波数を記憶する第１記憶手段と、
基地局から無線信号を受信し、この基地局が属する移動通信網の識別情報を受信する受信手段と、
この受信手段が受信した識別情報が前記禁止網記憶手段に記憶される場合に、前記基地局への接続に用いたキャリア周波数を記憶する第２記憶手段と、
前記第１の移動通信システムで用いられる第１周波数帯域と、前記第２の移動通信システムで用いられる第２周波数帯域とのうち、前記第２記憶手段が記憶するキャリア周波数を中心周波数とする所定帯域幅の周波数帯の占める割合が、予め設定した閾値以上の周波数帯域を除いて、前記第１記憶手段が記憶するキャリア周波数のうち、前記第２記憶手段が記憶するキャリア周波数を除く周波数を用いて、接続可能な基地局を探索する探索手段とを具備することを特徴とする移動無線端末装置。
【発明の詳細な説明】
【技術分野】
【０００１】
この発明は、例えば国内あるいは国外において、ローミングが可能な移動無線端末装置に関する。
【背景技術】
【０００２】
周知のように、従来の移動無線端末装置は、移動通信網に収容される基地局からの報知情報に含まれる網番号に基づいて、ローミング禁止網かどうかの判断をしている。このため、ローミング禁止網の圏内に位置すると、ローミング禁止網セルについての報知情報受信処理に電力を消費することになる（例えば、特許文献１参照）。また、不必要な報知情報受信処理によりホーム網／ローミング網のセル検出が遅延するという問題があった。
【非特許文献１】３ＧＰＰ規格ＴＳ２４．００８、ＴＳ２５．３３１
【発明の開示】
【発明が解決しようとする課題】
【０００３】
従来の移動無線端末装置では、ローミング禁止網の圏内に位置する場合に、ローミング禁止網セルについての報知情報受信処理に多くの電力を消費するという問題があり、また、不必要な報知情報受信処理によりホーム網／ローミング網のセルの検出が遅延するという問題があった。
【０００４】
この発明は上記の問題を解決すべくなされたもので、ローミング禁止網の圏内に位置する場合でも、基地局からの報知情報の受信処理に費やす電力を軽減し、不必要な報知情報受信処理によるホーム網／ローミング網のセル検出の遅延を防止できる移動無線端末装置を提供することを目的とする。
【課題を解決するための手段】
【０００５】
上記の目的を達成するために、この発明は、移動通信網に収容される基地局と無線通信する移動無線端末装置において、基地局との通信に利用可能なキャリア周波数を記憶する第１記憶手段と、基地局からの無線信号を受信する受信手段と、この受信手段が基地局から接続を拒否する信号を受信した場合に、基地局への接続に用いたキャリア周波数を記憶する第２記憶手段と、第１記憶手段が記憶するキャリア周波数のうち、第２記憶手段が記憶するキャリア周波数を除く周波数を用いて、接続可能な基地局を探索する探索手段とを具備して構成するようにした。
【０００６】
またこの発明では、移動通信網に収容される基地局と無線通信する移動無線端末装置において、ローミングが許可されない移動通信網の識別情報を記憶する禁止網記憶手段と、基地局との通信に利用可能なキャリア周波数を記憶する第１記憶手段と、基地局から無線信号を受信し、この基地局が属する移動通信網の識別情報を受信する受信手段と、この受信手段が受信した識別情報が前記禁止網記憶手段に記憶される場合に、前記基地局への接続に用いたキャリア周波数を記憶する第２記憶手段と、第１記憶手段が記憶するキャリア周波数のうち、第２記憶手段が記憶するキャリア周波数を除く周波数を用いて、接続可能な基地局を探索する探索手段とを具備して構成するようにした。
【発明の効果】
【０００７】
この発明によれば、ローミング禁止網の圏内に位置する場合でも、基地局からの報知情報の受信処理に費やす電力を軽減し、不必要な報知情報受信処理によるホーム網／ローミング網のセル検出の遅延を防止可能な移動無線端末装置を提供できる。
【発明を実施するための最良の形態】
【０００８】
以下、図面を参照して、この発明の一実施形態について説明する。  
図１は、この発明の第１の実施形態に係わる移動無線端末装置の構成を示すものである。この移動無線端末装置は、アンテナ１０１と、送受信部１０２と、信号処理部１０３と、記憶部１０４と、制御部１００ａとを備えている。ここでは、移動無線端末装置の例として、Ｗ−ＣＤＭＡ（Wideband Code Division Multiple Access）方式の移動無線通信システムで用いられ、音声通信やデータ通信を行うものを例に挙げる。
【０００９】
送受信部１０２は、アンテナ１０１を通じて、移動通信網に収容される基地局ＢＳと、Ｗ−ＣＤＭＡ方式で無線通信するものである。具体的には、送受信部１０２は、信号処理部１０３にて生成された変調信号に基づいて、制御部１００ａから指示されるキャリア周波数の無線信号を生成する。また送受信部１０２は、制御部１００ａから指示されるキャリア周波数の無線信号を受信する。この受信結果は、信号処理部１０３および制御部１００ａに出力される。
【００１０】
信号処理部１０３は、送話音声信号を符号化する。また、この符号化によって得た音声データやその他のデータに基づいて上記変調信号を生成し、これを上記送受信部１０２に出力する。また信号処理部１０３は、送受信部１０２が受信した信号を復調し、この復調結果を復号して音声データなどを得る。
【００１１】
記憶部１０４は、当該移動無線端末装置の制御プログラムや制御データ、当該移動無線端末装置やユーザに固有に割り当てられた識別情報を記憶するものであって、このほかに、名前と電話番号を対応づけた電話帳データや、データ通信により取得したデータやダウンロードしたデータを記憶する。また記憶部１０４は、周波数リスト記憶エリア１０４ａ、禁止網リスト記憶エリア１０４ｂと、禁止周波数リスト記憶エリア１０４ｃを備える。
【００１２】
周波数リスト記憶エリア１０４ａは、ホーム網およびローミング網において、使用可能なすべてのキャリア周波数の識別情報をリスト化して記憶する。Ｗ−ＣＤＭＡ方式の場合、約３００程度のキャリア周波数の識別情報を記憶することが想定される。またＷ−ＣＤＭＡ方式とＧＳＭ（Global System for Mobile communication）方式の両方に対応した移動無線端末装置の場合には、１０００以上のキャリア周波数の識別情報を記憶することが想定される。
【００１３】
禁止網リスト記憶エリア１０４ｂは、ローミング時に使用できない網の識別情報をリスト化して記憶する。禁止周波数リスト記憶エリア１０４ｃは、ローミング時に使用できないキャリア周波数の識別情報を禁止終了時間の情報に対応づけてリスト化して記憶する。図２にその一例を示す。実装上の兼ね合いから、１０程度のキャリア周波数の識別情報を記憶するようにしてもよい。
【００１４】
制御部１００は、記憶部１０４が記憶する制御プログラムや制御データにしたがって、当該移動無線端末装置の各部を統括して制御するものである。具体的には、送受信部１０２が用いるキャリア周波数を制御して、その受信結果に基づいてパイロット信号の探索を行ったり、禁止網リスト記憶エリア１０４ｂや禁止周波数リスト記憶エリア１０４ｃが記憶する情報の更新制御、時刻を計時するタイマ機能などを備える。
【００１５】
なお、図１には図示しないが、移動無線端末装置は、受話音声信号を拡声出力するスピーカや、送話音声信号を入力するマイクロホン、音声データを上記受話音声信号に変換する手段や、送話音声信号を音声データに変換する手段、受信データに基づく画像を表示する表示手段、ユーザに要求を受け付ける操作部などを備える。
【００１６】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、ホーム網およびローミング網の探索に関わる動作について説明する。
【００１７】
図３は、ホーム網およびローミング網の探索処理の動作を説明するフローチャートであって、この処理は制御部１００ａによってなされる。このフローチャートに示す制御を実現するための制御プログラムは、記憶部１０４に記録される。この処理は、電源の投入時や、サービス圏外に位置することを検出してから所定の時間が経過する毎に実行される。
【００１８】
まず、ステップ３ａにおいて制御部１００ａは、周波数リスト記憶エリア１０４ａおよび禁止周波数リスト記憶エリア１０４ｃに記録される情報に基づいて、送受信部１０２を制御し、基地局ＢＳから送信されるパイロット信号を探索するセルサーチ処理を実施し、ステップ３ｂに移行する。なお、ここで行われるセルサーチ処理の詳細については後述する。
【００１９】
ステップ３ｂにおいて制御部１００ａは、ステップ３ａにおいて、パイロット信号が検出できたか否かを判定する。ここで、パイロット信号が検出できた場合には、ステップ３ｃに移行し、一方、パイロット信号が検出できなかった場合には、当該処理を終了し、表示部に、当該移動無線端末装置が、運用できない圏外に位置する旨の表示を行う圏外処理を実施する。
【００２０】
一方、ステップ３ｃにおいて制御部１００ａは、送受信部１０２に対して、ステップ３ａでパイロット信号を検出するのに用いたキャリア周波数を指定し、基地局ＢＳが送信する報知情報を受信させ、ステップ３ｄに移行する。なお、ここでいう報知情報とはＰＬＭＮ（Public Land Mobile Network）などの情報である。このＰＬＭＮには、ＭＣＣ（Mobile Country Code）やＭＮＣ（Mobile Network Code）が含まれる。
【００２１】
ステップ３ｄにおいて制御部１００ａは、禁止網リスト記憶エリア１０４ｂに記憶される情報を参照し、ステップ３ｃで受信した報知情報を送信した基地局ＢＳがローミング禁止網に属する基地局であるか否かを判定する。
【００２２】
ここで、基地局ＢＳの属する網が上記禁止網リスト記憶エリア１０４ｂに記憶されている場合は、基地局ＢＳがローミング禁止網に属する、利用できない基地局であると判定し、ステップ３ｉに移行する。
【００２３】
一方、基地局ＢＳの属する網が上記禁止網リスト記憶エリア１０４ｂに記憶されていない場合は、基地局ＢＳがホーム網あるいは禁止されていないローミング網に属し、利用が可能な基地局である可能性があると判定し、ステップ３ｅに移行する。
【００２４】
ステップ３ｅにおいて制御部１００ａは、送受信部１０２を制御し、ステップ３ｃで受信した報知情報に基づいて、基地局ＢＳが属する網に対し、記憶部１０４が記憶する当該移動無線端末装置やユーザに固有に割り当てられた識別情報を送信して位置登録を開始し、ステップ３ｆに移行する。
【００２５】
ステップ３ｆにおいて制御部１００ａは、送受信部１０２の受信信号を監視し、基地局ＢＳが属する網から位置登録を拒否するReject信号を受信したか否かを判定する。ここで、Reject信号を受信した場合には、ステップ３ｈに移行し、一方、Reject信号を受信しない場合にはステップ３ｇに移行する。
【００２６】
ステップ３ｇにおいて制御部１００ａは、送受信部１０２を制御して、所定の手順に従った位置登録処理を上記網との間で実行する。位置登録が完了すると、当該処理を終了し、発着信の待機状態に移行する。
【００２７】
一方、ステップ３ｈにおいて制御部１００ａは、基地局ＢＳが属する網の識別情報を、禁止網リスト記憶エリア１０４ｂに記録し、ステップ３ｉに移行する。
【００２８】
ステップ３ｉにおいて制御部１００ａは、ステップ３ｃで指定したキャリア周波数の識別情報ｆｎと、現在の時刻から所定時間が経過した禁止終了時刻Ｔｍを対応づけて、禁止周波数リスト記憶エリア１０４ｃに記録し、ステップ３ａに移行する。
【００２９】
次に、図４を参照して、ステップ３ａで実施するセルサーチ処理について詳述する。  
まずステップ４ａにおいて制御部１００ａは、周波数リスト記憶エリア１０４ａが記憶するキャリア周波数の１つ選択し、ステップ４ｂに移行する。なお、後述するステップ４ｃやステップ４ｇからステップ４ａに移行した場合には、以前にステップ４ａで選択したキャリア周波数以外のキャリア周波数を選択する。
【００３０】
ステップ４ｂにおいて制御部１００ａは、ステップ４ａで選択したキャリア周波数が、禁止周波数リスト記憶エリア１０４ｃに記録されている、ローミング禁止のキャリア周波数であるか否かを判定する。
【００３１】
ここで、ステップ４ａで選択したキャリア周波数がローミング禁止のキャリア周波数である場合には、ステップ４ｃに移行し、一方、ステップ４ａで選択したキャリア周波数が、禁止周波数リスト記憶エリア１０４ｃに記録されている、ローミング禁止のキャリア周波数でない場合には、ステップ４ｅに移行する。
【００３２】
ステップ４ｃにおいて制御部１００ａは、禁止周波数リスト記憶エリア１０４ｃを参照し、ステップ４ａで選択したキャリア周波数に対応づけられた禁止終了時刻Ｔｍを検出し、現在の時刻が禁止終了時刻Ｔｍを過ぎているか否かを判定する。
【００３３】
ここで、現在の時刻が禁止終了時刻Ｔｍを過ぎている場合には、ステップ４ｄに移行し、現在の時刻が禁止終了時刻Ｔｍを過ぎていない場合には、ステップ４ａに移行して別のキャリア周波数を選択する。
【００３４】
ステップ４ｄにおいて制御部１００ａは、ステップ４ａで選択したキャリア周波数の識別情報ｆｎと、それに対応づけられた禁止終了時刻Ｔｍを、禁止周波数リスト記憶エリア１０４ｃから削除し、ステップ４ｅに移行する。
【００３５】
ステップ４ｅにおいて制御部１００ａは、送受信部１０２に対して、ステップ４ａで選択したキャリア周波数を指定し、このキャリア周波数でパイロット信号を受信させ、ステップ４ｆに移行する。
【００３６】
ステップ４ｆにおいて制御部１００ａは、ステップ４ｅでパイロット信号が受信できたか否かを判定する。ここで、パイロット信号が受信できた場合には、当該処理を終了してステップ３ｂに移行し、一方、パイロット信号が受信できない場合には、ステップ４ｇに移行する。
【００３７】
ステップ４ｇにおいて制御部１００ａは、周波数リスト記憶エリア１０４ａが記憶する全てのキャリア周波数を、ステップ４ａで選択したか否かを判定する。ここで、全てのキャリア周波数を選択した場合には、当該処理を終了してステップ３ｂに移行し、一方、全てのキャリア周波数を選択していない場合には、ステップ４ａに移行して別のキャリア周波数を選択する。
【００３８】
以上のように、上記構成の移動無線端末装置では、検出した基地局ＢＳを通じて位置登録を試みて利用が拒否された場合に、上記基地局ＢＳが属する網の識別情報と、上記基地局ＢＳとの通信に用いたキャリア周波数の識別情報を記憶しておき、これらの識別情報に基づいて、通信が可能なセルを検出するようにしている。
【００３９】
したがって、上記構成の移動無線端末装置によれば、ローミングが禁止された網についてだけでなく、ローミングが行えないキャリア周波数についてもセル検出を行わないので、不必要なパイロット信号の探索処理や、報知情報の受信処理を行わない。
【００４０】
このため、ローミング禁止網の圏内に位置する場合でも、基地局からのパイロット信号や報知情報の受信処理に費やす電力を軽減し、不必要な報知情報受信処理によるホーム網／ローミング網のセル検出の遅延を防止できる。
【００４１】
また上記構成の移動無線端末装置では、禁止対象としたキャリア周波数に制限時間を設けて、制限時間が経過すると、禁止対象から外すようにしている。このため、ユーザの移動に伴って、運用環境が変化した場合などに、利用可能なキャリア周波数をサーチ対象外としてしまうことを防止できる。
【００４２】
なお、上記第１の実施形態では、周波数リスト記憶エリア１０４ａが記憶するキャリア周波数のうち、禁止周波数リスト記憶エリア１０４ｃが記憶するキャリア周波数を除く周波数についてセルサーチを行うようにした。これに代わって例えば、周波数リスト記憶エリア１０４ａが記憶するキャリア周波数のうち、禁止周波数リスト記憶エリア１０４ｃが記憶するキャリア周波数を中心周波数とした所定幅の帯域に含まれるキャラ周波数を除いた周波数について、セルサーチを行うようにしてもよい。
【００４３】
次に、この発明の第２の実施形態に係わる移動無線端末装置について説明する。その構成を図５に示す。図５に示した移動無線端末装置は、図１に示した移動無線端末装置の構成に加えて、ＲＳＳＩ（Received Signal Strength Indicator）測定部１０５を備えるとともに、制御部１００ａに代わり、制御部１００ｂを備えたものである。また記憶部１０４は、図１に示した記憶エリア１０４ａ、１０４ｂ、１０４ｃに加え、有効周波数リスト記憶エリア１０４ｄを備える。
【００４４】
ＲＳＳＩ測定部１０５は、送受信部１０２が受信した信号の受信電界強度を測定するものである。ここで測定された受信電界強度（ＲＳＳＩ）は、制御部１００ｂに通知される。有効周波数リスト記憶エリア１０４ｄは、周波数リスト記憶エリア１０４ａが記憶するキャリア周波数の識別情報のうち、ＲＳＳＩ測定部１０５の測定結果に基づいて、ＲＳＳＩが所定の閾値よりも高いキャリア周波数の識別情報が制御部１００ｂによって記録される。
【００４５】
制御部１００ｂは、制御部１００ａと同様に、図３に示した処理を実施するが、ステップ３ａにおけるセルサーチの処理として、図４に示した処理に変わり、図６に示す処理を実行する。
【００４６】
このように、図３に示した処理を実行する点で、前述の第１の実施形態と同じ処理が行われるため、図３についての説明を省略し、ステップ３ａに対応する図６の処理について説明する。
【００４７】
まずステップ６Ａにおいて制御部１００ｂは、周波数リスト記憶エリア１０４ａが記憶するキャリア周波数を、順に送受信部１０２に割り当てて、送受信部１０２に、周波数リスト記憶エリア１０４ａが記憶するキャリア周波数を順に受信させる。
【００４８】
これにより、送受信部１０２は、周波数リスト記憶エリア１０４ａが記憶するキャリア周波数を順に受信し、その受信信号は、ＲＳＳＩ測定部１０５に出力される。これに対してＲＳＳＩ測定部１０５は、各キャリア周波数の受信信号についてＲＳＳＩを測定し、この測定結果を制御部１００ｂに出力する。
【００４９】
これに対して制御部１００ｂは、ＲＳＳＩ測定部１０５から与えられるＲＳＳＩに基づいて、予め設定した閾値を越えるＲＳＳＩが得られるキャリア周波数を検出し、この検出したキャリア周波数の識別情報を有効周波数リスト記憶エリア１０４ｄに記録して、ステップ６Ｂに移行する。
【００５０】
ステップ６Ｂにおいて制御部１００ｂは、有効周波数リスト記憶エリア１０４ｄに識別情報が記録されたキャリア周波数があるか否かを判定する。ここで、有効周波数リスト記憶エリア１０４ｄに識別情報が記録されたキャリア周波数がある場合には、ステップ６ａに移行し、一方、有効周波数リスト記憶エリア１０４ｄに識別情報が記録されたキャリア周波数がない場合には、当該処理を終了してステップ３ｂに移行する。
【００５１】
ステップ６ａにおいて制御部１００ｂは、有効周波数リスト記憶エリア１０４ｄが記憶するキャリア周波数の１つ選択し、ステップ６ｂに移行する。なお、後述するステップ６ｃやステップ６ｇからステップ６ａに移行した場合には、以前にステップ６ａで選択したキャリア周波数以外のキャリア周波数を選択する。
【００５２】
ステップ６ｂにおいて制御部１００ｂは、ステップ６ａで選択したキャリア周波数が、禁止周波数リスト記憶エリア１０４ｃに記録されている、ローミング禁止のキャリア周波数であるか否かを判定する。
【００５３】
ここで、ステップ６ａで選択したキャリア周波数がローミング禁止のキャリア周波数である場合には、ステップ６ｃに移行し、一方、ステップ６ａで選択したキャリア周波数が、禁止周波数リスト記憶エリア１０４ｃに記録されている、ローミング禁止のキャリア周波数でない場合には、ステップ６ｅに移行する。
【００５４】
ステップ６ｃにおいて制御部１００ｂは、禁止周波数リスト記憶エリア１０４ｃを参照し、ステップ６ａで選択したキャリア周波数に対応づけられた禁止終了時刻Ｔｍを検出し、現在の時刻が禁止終了時刻Ｔｍを過ぎているか否かを判定する。
【００５５】
ここで、現在の時刻が禁止終了時刻Ｔｍを過ぎている場合には、ステップ６ｄに移行し、現在の時刻が禁止終了時刻Ｔｍを過ぎていない場合には、ステップ６ａに移行して別のキャリア周波数を選択する。
【００５６】
ステップ６ｄにおいて制御部１００ｂは、ステップ６ａで選択したキャリア周波数の識別情報ｆｎと、それに対応づけられた禁止終了時刻Ｔｍを、禁止周波数リスト記憶エリア１０４ｃから削除し、ステップ６ｅに移行する。
【００５７】
ステップ６ｅにおいて制御部１００ｂは、送受信部１０２に対して、ステップ６ａで選択したキャリア周波数を指定し、このキャリア周波数でパイロット信号を受信させ、ステップ６ｆに移行する。
【００５８】
ステップ６ｆにおいて制御部１００ｂは、ステップ６ｅでパイロット信号が受信できたか否かを判定する。ここで、パイロット信号が受信できた場合には、当該処理を終了してステップ３ｂに移行し、一方、パイロット信号が受信できない場合には、ステップ６ｇに移行する。
【００５９】
ステップ６ｇにおいて制御部１００ｂは、周波数リスト記憶エリア１０４ａが記憶する全てのキャリア周波数を、ステップ６ａで選択したか否かを判定する。ここで、全てのキャリア周波数を選択した場合には、当該処理を終了してステップ３ｂに移行し、一方、全てのキャリア周波数を選択していない場合には、ステップ６ａに移行して別のキャリア周波数を選択する。
【００６０】
以上のように、上記構成の移動無線端末装置では、キャリア周波数毎にＲＳＳＩを検出し、この検出結果に基づいて通信に有効と思われるキャリア周波数を検出する。そして、この有効と思われるキャリア周波数のうち、位置登録を試みて利用が拒否されたキャリア周波数を除くキャリア周波数について、通信が可能なセルを検出するようにしている。
【００６１】
したがって、上記構成の移動無線端末装置によれば、ＲＳＳＩが高く、有効と思われるキャリア周波数のうち、ローミングが禁止された網についてだけでなく、ローミングが行えないキャリア周波数についてもセル検出を行わないので、不必要なパイロット信号の探索処理や、報知情報の受信処理を行わない。
【００６２】
このため、第１の実施形態の移動無線端末装置と同様に、ローミング禁止網の圏内に位置する場合でも、基地局からのパイロット信号や報知情報の受信処理に費やす電力を軽減し、不必要な報知情報受信処理によるホーム網／ローミング網のセル検出の遅延を防止できる。またＲＳＳＩに基づいて、セル検出を行うキャリア周波数を絞り込んでいるため、第１の実施形態の移動無線端末装置よりも、さらに消費電力を軽減することができる。
【００６３】
なお、上記第２の実施形態では、ステップ６Ａにおいて、周波数リスト記憶エリア１０４ａが記憶するすべてのキャリア周波数について、ＲＳＳＩの測定を行うようにしたが、これに限定されるものではない。
【００６４】
例えば、禁止周波数リスト記憶エリア１０４ｃを参照し、これに記憶されるキャリア周波数を除くキャリア周波数について、ＲＳＳＩの測定を行うようにしてもよい。さらには、禁止周波数リスト記憶エリア１０４ｃに記憶されるキャリア周波数を中心周波数とする所定の帯域幅（Ｗ−ＣＤＭＡ方式の場合、例えば５ＭＨｚ）を除くキャリア周波数について、ＲＳＳＩの測定を行うようにしてもよい。その一例を図７に示す。
【００６５】
図７（ａ）に示すように、禁止周波数リスト記憶エリア１０４ｃに記憶されるキャリア周波数がｆ１，ｆ２およびｆ３であったとする。この場合、ステップ６ａにおいて制御部１００ｂは、図７（ｂ）に示すように、これらのキャリア周波数ｆ１，ｆ２およびｆ３を中心周波数とする周波数帯域Ｆ１，Ｆ２およびＦ３を、ＲＳＳＩの測定対象外とする。
【００６６】
すなわち、ステップ６ａにおいて制御部１００ｂは、図７（ｃ）に示すようなキャリア周波数帯域に属するキャリア周波数を選択する。このような処理によれば、探索するキャリア周波数帯域を、有効な範囲に狭めることができるので、効率よくセル検出を行え、さらに消費電力を軽減することができる。
【００６７】
また上記の実施形態では、Ｗ−ＣＤＭＡ方式の移動無線端末装置について説明したが、ＧＳＭ方式の移動無線端末装置に適用することも可能である。さらには、Ｗ−ＣＤＭＡ方式とＧＳＭ方式の両方のシステムに対応する移動無線端末装置に適用することも可能である。
【００６８】
２つのシステムに対応する移動無線端末装置の場合には、記憶部１０４に記憶するキャリア周波数に関する情報を、システム毎に区別して保存し、制御部１００ａおよび制御部１００ｂは、図示しない操作部を通じたユーザの要求に応じた任意のシステムについて、上述したような処理を選択的に実施することも可能である。
【００６９】
次に、この発明の第３の実施形態に係わる移動無線端末装置について説明する。その構成を図８に示す。図８に示した移動無線端末装置は、Ｗ−ＣＤＭＡ方式とＧＳＭ方式など、２つのシステムＳ１、Ｓ２に対応するものである。
【００７０】
その構成は、図１に示した移動無線端末装置の制御部１００ａに代わり、制御部１００ｃを備えたものである。また記憶部１０４は、図１に示した周波数リスト記憶エリア１０４ａに代わり、システム別周波数リスト記憶エリア１０４Ａを備える。
【００７１】
システム別周波数リスト記憶エリア１０４Ａは、２つのシステムＳ１、Ｓ２について、それぞれホーム網およびローミング網において、使用可能なすべてのキャリア周波数の識別情報をリスト化して記憶する。
【００７２】
制御部１００ｃは、制御部１００ａと同様に、図３に示した処理を実施するが、ステップ３ａにおけるセルサーチの処理として、図４に示した処理に変わり、図９に示す処理を実行する。
【００７３】
このように、図３に示した処理を実行する点で、前述の第１の実施形態と同じ処理が行われるため、図３についての説明を省略し、ステップ３ａに対応する図９の処理について説明する。
【００７４】
まずステップ９Ａにおいて制御部１００ｃは、禁止周波数リスト記憶エリア１０４ｃが記憶する、ローミングが行えないキャリア周波数を参照し、このキャリア周波数を中心周波数とした禁止キャリア周波数帯域を求める。そして制御部１００ｃは、システムＳ１、Ｓ２それぞれについて、各システムで用いられる帯域に、上記禁止キャリア周波数帯域が占める割合を求め、ステップ９Ｂに移行する。
【００７５】
ステップ９Ｂにおいて制御部１００ｃは、システムＳ１、Ｓ２それぞれについて、ステップ９Ａで検出した禁止キャリア周波数帯域が占める割合が、予め設定した閾値以上か否かを判定し、閾値以上となるシステムを検出し、ステップ９ａに移行する。なお、上記閾値としては、０〜１００パーセントで設定可能である。
【００７６】
ステップ９ａにおいて制御部１００ｃは、ステップ９Ｂで検出したシステムの帯域のキャリア周波数を除いて、有効周波数リスト記憶エリア１０４ｄが記憶するキャリア周波数の１つ選択し、ステップ９ｂに移行する。なお、後述するステップ９ｃやステップ９ｇからステップ９ａに移行した場合には、以前にステップ９ａで選択したキャリア周波数以外のキャリア周波数を選択する。
【００７７】
図１０（ａ）に、システムＳ１、Ｓ２でそれぞれ用いられるキャリア周波数の帯域を示す。ここで仮に、禁止周波数リスト記憶エリア１０４ｃに周波数ｆ１，ｆ２，ｆ３の識別情報が記憶されていたとする。
【００７８】
ここで、システムＳ１のキャリア周波数の帯域に対して、周波数ｆ１，ｆ２，ｆ３を中心周波数とする禁止キャリア周波数帯域Ｆ１，Ｆ２，Ｆ３の占める割合が、図１０（ｂ）に示すように１００パーセントであったとする。この状態を制御部１００ｃがステップ９Ａで検出する。
【００７９】
そしてステップ９Ｂにおいて制御部１００ｃは、禁止キャリア周波数帯域の占める割合が、閾値を越えているため、システムＳ１のキャリア周波数の帯域をセルサーチの対象外とする。これにより、ステップ９ａにおいて制御部１００ｃは、図１０（ｃ）に示すように、システムＳ２のキャリア周波数の帯域のみをセルサーチの対象とする。
【００８０】
ステップ９ｂにおいて制御部１００ｃは、ステップ９ａで選択したキャリア周波数が、禁止周波数リスト記憶エリア１０４ｃに記録されている、ローミング禁止のキャリア周波数であるか否かを判定する。
【００８１】
ここで、ステップ９ａで選択したキャリア周波数がローミング禁止のキャリア周波数である場合には、ステップ９ｃに移行し、一方、ステップ９ａで選択したキャリア周波数が、禁止周波数リスト記憶エリア１０４ｃに記録されている、ローミング禁止のキャリア周波数でない場合には、ステップ９ｅに移行する。
【００８２】
ステップ９ｃにおいて制御部１００ｃは、禁止周波数リスト記憶エリア１０４ｃを参照し、ステップ９ａで選択したキャリア周波数に対応づけられた禁止終了時刻Ｔｍを検出し、現在の時刻が禁止終了時刻Ｔｍを過ぎているか否かを判定する。
【００８３】
ここで、現在の時刻が禁止終了時刻Ｔｍを過ぎている場合には、ステップ９ｄに移行し、現在の時刻が禁止終了時刻Ｔｍを過ぎていない場合には、ステップ９ａに移行して別のキャリア周波数を選択する。
【００８４】
ステップ９ｄにおいて制御部１００ｃは、ステップ９ａで選択したキャリア周波数の識別情報ｆｎと、それに対応づけられた禁止終了時刻Ｔｍを、禁止周波数リスト記憶エリア１０４ｃから削除し、ステップ９ｅに移行する。
【００８５】
ステップ９ｅにおいて制御部１００ｃは、送受信部１０２に対して、ステップ９ａで選択したキャリア周波数を指定し、このキャリア周波数でパイロット信号を受信させ、ステップ９ｆに移行する。
【００８６】
ステップ９ｆにおいて制御部１００ｃは、ステップ９ｅでパイロット信号が受信できたか否かを判定する。ここで、パイロット信号が受信できた場合には、当該処理を終了してステップ３ｂに移行し、一方、パイロット信号が受信できない場合には、ステップ９ｇに移行する。
【００８７】
ステップ９ｇにおいて制御部１００ｃは、周波数リスト記憶エリア１０４ａが記憶する全てのキャリア周波数を、ステップ９ａで選択したか否かを判定する。ここで、全てのキャリア周波数を選択した場合には、当該処理を終了してステップ３ｂに移行し、一方、全てのキャリア周波数を選択していない場合には、ステップ９ａに移行して別のキャリア周波数を選択する。
【００８８】
以上のように、上記構成の移動無線端末装置では、システム毎に、ローミングが行えない禁止キャリア周波数帯域の割合を求め、その割合が閾値以上のシステムについては、セルサーチの対象外とする。また、セルサーチの対象となるシステムであっても、ローミングが行えないキャリア周波数帯域を除いて、通信が可能なセルを検出するようにしている。
【００８９】
したがって、上記構成の移動無線端末装置によれば、禁止キャリア周波数帯域の割合が高く、セルサーチの効率が悪いシステムについては、セルサーチの対象から外されるので、効率の良いセルサーチが行え、基地局からのパイロット信号や報知情報の受信処理に費やす電力を軽減し、不必要な報知情報受信処理によるホーム網／ローミング網のセル検出の遅延を防止できる。
【００９０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００９１】
その一例として例えば、上記実施の形態では、ユーザからの発信要求とは無関係にセルサーチを行うキャリア周波数を制限するようにしたが、ユーザから警察や消防などへ緊急を要する発信を行う場合には、セルサーチを行うキャリア周波数を制限せずに、セルサーチを行って位置登録し、発信を行うようにしてもよい。緊急を要する発信か否かの判断は、予め緊急発信用の特番を記憶部１０４に記憶しておき、上記特番が操作部を通じて入力された場合に制御部１００が緊急発進と判断する。
【００９２】
また上記第１および第２の実施の形態では、ステップ３ｉにおいて、ステップ３ｃで指定したキャリア周波数の識別情報ｆｎに、現在の時刻から所定時間が経過した禁止終了時刻Ｔｍを対応づけて禁止周波数リスト記憶エリア１０４ｃに記録し、そして、ステップ４ｃ、６ｃおよびステップ４ｄ、６ｄにおいて、禁止終了時刻Ｔｍが経過したキャリア周波数については、禁止対象から外して、パイロット信号の探索に用いるようにした。
【００９３】
このような処理に代わって例えば、上記処理と同等の処理として、以下のような処理を実施する。すなわち、ステップ３ｉにおいて、ステップ３ｃで指定したキャリア周波数の識別情報ｆｎに、その時点の時刻を時刻情報Ｔｎｏｗとして対応づけて禁止周波数リスト記憶エリア１０４ｃに記録し、そして、ステップ４ｃおよび６ｃにおいて、時刻情報Ｔｎｏｗと現在時刻を比較する。
【００９４】
そして、時刻情報Ｔｎｏｗから所定時間が経過している場合には、ステップ４ｄおよび６ｄにおいて、選択したキャリア周波数を禁止対象から外して、パイロット信号の探索に用いるようにしてもよい。このような処理によっても、同様の効果を奏する。
【００９５】
また上記第１および第２の実施の形態では、ステップ４ｃ、６ｃおよびステップ４ｄ、６ｄの処理のより、禁止終了時刻Ｔｍが経過したキャリア周波数を、禁止周波数リスト記憶エリア１０４ｃから削除して、パイロット信号の探索に用いられるようにした。
【００９６】
これと同様な処理を実現する構成として、例えば以下のような処理を実施する。すなわち、ステップ４ａと４ｂの間やステップ６ａと６ｂの間において、禁止周波数リスト記憶エリア１０４ｃに記憶されるキャリア周波数のうち、現在の時刻以前の禁止終了時刻Ｔｍが対応付けられたキャリア周波数を、禁止周波数リスト記憶エリア１０４ｃから削除するようにしてもよい。このような処理によっても、同様の効果を奏する。なお、この処理は、ステップ４ａやステップ６ａの前に行うようにしても同様の効果を奏する。
【００９７】
また、ステップ３ｉにおいて、ステップ３ｃで指定したキャリア周波数の識別情報ｆｎに、その時点の時刻を示す時刻情報Ｔｎｏｗを対応づけて禁止周波数リスト記憶エリア１０４ｃに記録する場合には、以下のような処理を実施するようにしてもよい。
【００９８】
すなわち、ステップ４ａと４ｂの間やステップ６ａと６ｂの間において、禁止周波数リスト記憶エリア１０４ｃに記憶されるキャリア周波数に対応づけられた時刻情報Ｔｎｏｗと現在の時刻を比較し、所定時間以上が経過している時刻情報Ｔｎｏｗが対応付けられたキャリア周波数を、禁止周波数リスト記憶エリア１０４ｃから削除する。このような処理によっても、同様の効果を奏する。なお、この処理は、ステップ４ａやステップ６ａの前に行うようにしても同様の効果を奏する。  
その他、この発明の要旨を逸脱しない範囲で種々の変形を施しても同様に実施可能であることはいうまでもない。
【図面の簡単な説明】
【００９９】
【図１】この発明に係わる移動無線端末装置の第１の実施形態の構成を示す回路ブロック図。
【図２】図１に示した移動無線端末装置の禁止周波数リスト記憶エリアに記憶される情報を説明するための図。
【図３】図１に示した移動無線端末装置の動作を説明するためのフローチャート。
【図４】図１に示した移動無線端末装置の動作を説明するためのフローチャート。
【図５】この発明に係わる移動無線端末装置の第２の実施形態の構成を示す回路ブロック図。
【図６】図５に示した移動無線端末装置の動作を説明するためのフローチャート。
【図７】図５に示した移動無線端末装置の変形例で行われるセルサーチの対象周波数を説明するための図。
【図８】この発明に係わる移動無線端末装置の第３の実施形態の構成を示す回路ブロック図。
【図９】図８に示した移動無線端末装置の動作を説明するためのフローチャート。
【図１０】図８に示した移動無線端末装置で行われるセルサーチの対象周波数を説明するための図。
【符号の説明】
【０１００】
１００ａ、１００ｂ、１００ｃ…制御部、１０１…アンテナ、１０２…送受信部、１０３…信号処理部、１０４…記憶部、１０４ａ…周波数リスト記憶エリア、１０４ｂ…禁止網リスト記憶エリア、１０４ｃ…禁止周波数リスト記憶エリア、１０４ｄ…有効周波数リスト記憶エリア、１０４Ａ…システム別周波数リスト記憶エリア、１０５…ＲＳＳＩ測定部、ＢＳ…基地局。
【図１】
2006311329.tif 000003
【図２】
2006311329.tif 000004
【図３】
2006311329.tif 000005
【図４】
2006311329.tif 000006
【図５】
2006311329.tif 000007
【図６】
2006311329.tif 000008
【図７】
2006311329.tif 000009
【図８】
2006311329.tif 000010
【図９】
2006311329.tif 000011
【図１０】
2006311329.tif 000012